(57)【特許請求の範囲】
【請求項１】
主体及び前記主体の中に設置された左右に貫通し、且つ前方に開口した回転空間を含み、
前記回転空間の底壁の中には伝動空間が設置され、前記回転空間の中には回転フレームが
回転できるように設置され、前記回転フレームの底壁左側にはバーコード読み取り装置が
設置され、前記回転フレームの底壁右側には凸起台が固定的に設置され、前記凸起台の底
壁の中には下方に開口したスライド移動溝が前後対称的に形成され、前記スライド移動溝
の中には引っ掛かり爪がスライドできるように設置され、前後二つの前記スライド移動溝
の間にはカム空間が設置され、前記カム空間の中には前記引っ掛かり爪に取らせ又は降ろ
させることができる挟持装置が設置され、前記伝動空間の中には持ち上げ装置が設置され
、前記持ち上げ装置は前記伝動空間の中に回転できるように設置されたネジスリーブを含
み、前記ネジスリーブは回転してその内部の第一ネジ穴の中にネジ山によって連結された
第一ネジロッドを上下に移動連動させ、それによって前記回転フレームを上下に移動連動
させ、前記伝動空間の底壁の中には第一ウォームホイール空間が設置され、前記第一ウォ
ームホイール空間の中には前記回転フレームを回転連動させる回転装置が設置され、前記
主体の頂壁の中には前記回転空間の両側に位置した第一伝送空間と第二伝送空間とが上方
に開口するように設置され、前記第一伝送空間と前記第二伝送空間の中には材料送り装置
が設置され、前記第一伝送空間の後側端壁の中には第二ウォームホイール空間が設置され
、前記第二伝送空間の後側端壁の中には第三ウォームホイール空間が設置され、前記第二
ウォームホイール空間と前記第三ウォームホイール空間との間には切換空間が設置され、
前記切換空間の右側端壁の中にはスライド空間が設置され、前記スライド空間の中には動
力装置が設置され、前記動力装置は前記スライド空間の中にスライドできるように設置さ
れたスライドブロックを含み、前記スライドブロックの左側端壁の中には第一モーターが
固定的に設置され、前記動力装置は前記スライドブロックの前後方向への移動を利用して
前記第一モーターを前後方向に移動連動させ、それによって前記第一モーターが前記材料
送り装置と前記持ち上げ装置を異なるタイミングに駆動することを実現できることを特徴
とするバーコード読み取り機能付きの自動レジスター。
【請求項２】
前記挟持装置は前記カム空間と前記スライド移動溝との間に連通するように設置された第
一スライド穴を含み、前記第一スライド穴の中には前記引っ掛かり爪と固定的に連結され
た第一スライドロッドがスライドできるように設置され、前記第一スライドロッドの外表
面には前記引っ掛かり爪と前記スライド移動溝の端壁との間に設置された押圧バネが取り
囲まれ、前記カム空間の頂壁の中には左方に伸びるベルト空間が設置され、前記ベルト空
間と前記カム空間との間には第一回転軸が回転できるように設置され、前記第一回転軸の
中には両面カムが回転できるように設置され、前記ベルト空間の中の前記第一回転軸の末
端には第一プーリが固定的に設置されていることを特徴とする請求項１に記載のバーコー
ド読み取り機能付きの自動レジスター。
【請求項３】
前記持ち上げ装置は前記伝動空間の中の前記ネジスリーブの外表面に固定的に設置された
第一傘歯車を含み、前記伝動空間と前記切換空間との間には第二回転軸が回転できるよう
に設置され、前記切換空間の中の前記第二回転軸の末端には第一歯車が固定的に設置され
、前記伝動空間の中の前記第二回転軸の末端には前記第一傘歯車と噛み合っている第二傘
歯車が固定的に設置され、前記第一ネジロッドの底壁の中には上方に開口したスプライン
穴が設置され、前記スプライン穴の中にスプラインによって連結されたスプライン軸の底
部末端が前記第一ウォームホイール空間の中に伸び、且つ前記スプライン穴の底部末端に
は第一ウォームホイールが固定的に設置され、前記第一ウォームホイール空間の中には前
記第一ウォームホイールと噛み合っている第一ウォームが回転できるように設置されてい
ることを特徴とする請求項１に記載のバーコード読み取り機能付きの自動レジスター。
【請求項４】
前記回転装置は前記ベルト空間の頂壁の中に形成された内歯溝を含み、前記第一ネジロッ
ドの頂部が前記ベルト空間を貫通し、且つ前記第一ネジロッドの頂部末端が前記内歯溝の
中に伸び、前記ベルト空間の中の前記第一ネジロッドの外表面には第二プーリが固定的に
設置され、前記第二プーリと前記第一プーリとがベルトによって伝動できるように連結さ
れ、前記内歯溝の中の前記第一ネジロッドの円周壁の中には第二スライド穴が中心対称的
に設置され、前記第二スライド穴の中には第二スライドロッドがスライドできるように設
置され、前記第二スライドロッドと前記第二スライド穴の端壁との間には第一復帰装置が
設置され、前記第二スライドロッドの末端が前記内歯溝の中に設置された歯の隙間に伸び
ていることを特徴とする請求項２に記載のバーコード読み取り機能付きの自動レジスター
。
【請求項５】
前記材料送り装置は前記第二ウォームホイール空間と前記第三ウォームホイール空間との
間に回転できるように設置された前記切換空間を貫通した第二ウォームを含み、前記切換
空間の中の前記第二ウォームの外表面には第二歯車が固定的に設置され、前記第一伝送空
間の中には左右対称の第三回転軸が回転できるように設置され、前記第三回転軸の外表面
には第一伝送車が固定的に設置され、左右二つの前記第一伝送車が第一伝送ベルトによっ
て伝動できるように連結され、右側の前記第三回転軸の後側が前記第二ウォームホイール
空間の中に伸び、且つ右側の前記第三回転軸の後側末端には前記第二ウォームと噛み合っ
ている第二ウォームホイールが固定的に設置され、前記第三ウォームホイール空間の中に
は左右対称の第四回転軸が回転できるように設置され、前記第四回転軸の外表面には第二
伝送車が固定的に設置され、左右二つの前記第二伝送車が第二伝送ベルトによって伝動で
きるように連結され、左側の前記第四回転軸の後側が前記第三ウォームホイール空間の前
側端壁の中に設置された空き空間の中に伸び、且つ左側の前記第四回転軸の後側末端には
第三歯車が固定的に設置され、前記空き空間と前記第三ウォームホイール空間との間には
第五回転軸が回転できるように設置され、前記第三ウォームホイール空間の中の前記第五
回転軸の末端には前記第二ウォームと噛み合っている第三ウォームホイールが固定的に設
置され、前記空き空間の中の前記第五回転軸の末端には前記第三歯車と噛み合っている第
四歯車が固定的に設置されていることを特徴とする請求項３に記載のバーコード読み取り
機能付きの自動レジスター。
【請求項６】
前記動力装置は前記スライドブロックの中に設置された前後に貫通した第二ネジ穴を含み
、前記第二ネジ穴の中には前記第一ウォームと固定的に連結された第二ネジロッドがネジ
山によって連結され、前記スライド空間の後側端壁の中には前記第二ネジロッドと伝動で
きるように連結された第二モーターが設置され、前記第一モーターの出力軸末端には前記
第二歯車と噛み合っている第五歯車が固定的に設置されていることを特徴とする請求項５
に記載のバーコード読み取り機能付きの自動レジスター。
【請求項７】
前記第二伝送ベルトの上方には前記引っ掛かり爪と作動し合うパレットが設置され、前記
主体の前側端壁には決済情報を示すことができるタッチパネルが固定的に設置されている
ことを特徴とする請求項５に記載のバーコード読み取り機能付きの自動レジスター。
【発明の詳細な説明】
【技術分野】
【０００１】
本発明はキャッシュレジスター分野に関わり、特にバーコード読み取り機能付きの自動レ
ジスターである。  
【背景技術】
【０００２】
人々はマーケットでショッピングして会計する時、レジ担当者は商品に付いているバーコ
ードを一つ一つスキャンし、このような方法は効率が低く、且つより多くのレジ担当者を
雇用する必要があり、非常に不便で、また伝統的なレジスターは操作が面倒くさく、一つ
ずつスキャンするのに誤りが出ることは避けられなく、経済的な損失をもたらし、従って
、バーコード読み取り機能付きの自動レジスターを設計して上記の問題を改善する必要が
ある。
【先行技術文献】
【特許文献】
【０００３】
【特許文献１】中国特許出願公開第１０７３６９２７５号明細書
【発明の概要】
【発明が解決しようとする課題】
【０００４】
本発明はバーコード読み取り機能付きの自動レジスターを提供し、既存技術にある上記欠
点を解消し、設備の実用性を高める。
【課題を解決するための手段】
【０００５】
本発明は技術的な問題を解決するのに採用する技術プランは下記の通りである。本発明の
バーコード読み取り機能付きの自動レジスターは、主体及び前記主体の中に設置された左
右に貫通し、且つ前方に開口した回転空間を含み、前記回転空間の底壁の中には伝動空間
が設置され、前記回転空間の中には回転フレームが回転できるように設置され、前記回転
フレームの底壁左側にはバーコード読み取り装置が設置され、前記回転フレームの底壁右
側には凸起台が固定的に設置され、前記凸起台の底壁の中には下方に開口したスライド移
動溝が前後対称的に形成され、前記スライド移動溝の中には引っ掛かり爪がスライドでき
るように設置され、前後二つの前記スライド移動溝の間にはカム空間が設置され、前記カ
ム空間の中には前記引っ掛かり爪に取らせ又は降ろさせることができる挟持装置が設置さ
れ、前記伝動空間の中には持ち上げ装置が設置され、前記持ち上げ装置は前記伝動空間の
中に回転できるように設置されたネジスリーブを含み、前記ネジスリーブは回転してその
内部の第一ネジ穴の中にネジ山によって連結された第一ネジロッドを上下に移動連動させ
、それによって前記回転フレームを上下に移動連動させ、前記伝動空間の底壁の中には第
一ウォームホイール空間が設置され、前記第一ウォームホイール空間の中には前記回転フ
レームを回転連動させる回転装置が設置され、前記主体の頂壁の中には前記回転空間の両
側に位置した第一伝送空間と第二伝送空間とが上方に開口するように設置され、前記第一
伝送空間と前記第二伝送空間の中には材料送り装置が設置され、前記第一伝送空間の後側
端壁の中には第二ウォームホイール空間が設置され、前記第二伝送空間の後側端壁の中に
は第三ウォームホイール空間が設置され、前記第二ウォームホイール空間と前記第三ウォ
ームホイール空間との間には切換空間が設置され、前記切換空間の右側端壁の中にはスラ
イド空間が設置され、前記スライド空間の中には動力装置が設置され、前記動力装置は前
記スライド空間の中にスライドできるように設置されたスライドブロックを含み、前記ス
ライドブロックの左側端壁の中には第一モーターが固定的に設置され、前記動力装置は前
記スライドブロックの前後方向への移動を利用して前記第一モーターを前後方向に移動連
動させ、それによって前記第一モーターが前記材料送り装置と前記持ち上げ装置を異なる
タイミングに駆動することを実現できる。
【０００６】
さらに、前記挟持装置は前記カム空間と前記スライド移動溝との間に連通するように設置
された第一スライド穴を含み、前記第一スライド穴の中には前記引っ掛かり爪と固定的に
連結された第一スライドロッドがスライドできるように設置され、前記第一スライドロッ
ドの外表面には前記引っ掛かり爪と前記スライド移動溝の端壁との間に設置された押圧バ
ネが取り囲まれ、前記カム空間の頂壁の中には左方に伸びるベルト空間が設置され、前記
ベルト空間と前記カム空間との間には第一回転軸が回転できるように設置され、前記第一
回転軸の中には両面カムが回転できるように設置され、前記ベルト空間の中の前記第一回
転軸の末端には第一プーリが固定的に設置されている。
【０００７】
さらに、前記持ち上げ装置は前記伝動空間の中の前記ネジスリーブの外表面に固定的に設
置された第一傘歯車を含み、前記伝動空間と前記切換空間との間には第二回転軸が回転で
きるように設置され、前記切換空間の中の前記第二回転軸の末端には第一歯車が固定的に
設置され、前記伝動空間の中の前記第二回転軸の末端には前記第一傘歯車と噛み合ってい
る第二傘歯車が固定的に設置され、前記第一ネジロッドの底壁の中には上方に開口したス
プライン穴が設置され、前記スプライン穴の中にスプラインによって連結されたスプライ
ン軸の底部末端が前記第一ウォームホイール空間の中に伸び、且つ前記スプライン穴の底
部末端には第一ウォームホイールが固定的に設置され、前記第一ウォームホイール空間の
中には前記第一ウォームホイールと噛み合っている第一ウォームが回転できるように設置
されている。
【０００８】
さらに、前記回転装置は前記ベルト空間の頂壁の中に形成された内歯溝を含み、前記第一
ネジロッドの頂部が前記ベルト空間を貫通し、且つ前記第一ネジロッドの頂部末端が前記
内歯溝の中に伸び、前記ベルト空間の中の前記第一ネジロッドの外表面には第二プーリが
固定的に設置され、前記第二プーリと前記第一プーリとがベルトによって伝動できるよう
に連結され、前記内歯溝の中の前記第一ネジロッドの円周壁の中には第二スライド穴が中
心対称的に設置され、前記第二スライド穴の中には第二スライドロッドがスライドできる
ように設置され、前記第二スライドロッドと前記第二スライド穴の端壁との間には第一復
帰装置が設置され、前記第二スライドロッドの末端が前記内歯溝の中に設置された歯の隙
間に伸びている。
【０００９】
さらに、前記材料送り装置は前記第二ウォームホイール空間と前記第三ウォームホイール
空間との間に回転できるように設置された前記切換空間を貫通した第二ウォームを含み、
前記切換空間の中の前記第二ウォームの外表面には第二歯車が固定的に設置され、前記第
一伝送空間の中には左右対称の第三回転軸が回転できるように設置され、前記第三回転軸
の外表面には第一伝送車が固定的に設置され、左右二つの前記第一伝送車が第一伝送ベル
トによって伝動できるように連結され、右側の前記第三回転軸の後側が前記第二ウォーム
ホイール空間の中に伸び、且つ右側の前記第三回転軸の後側末端には前記第二ウォームと
噛み合っている第二ウォームホイールが固定的に設置され、前記第三ウォームホイール空
間の中には左右対称の第四回転軸が回転できるように設置され、前記第四回転軸の外表面
には第二伝送車が固定的に設置され、左右二つの前記第二伝送車が第二伝送ベルトによっ
て伝動できるように連結され、左側の前記第四回転軸の後側が前記第三ウォームホイール
空間の前側端壁の中に設置された空き空間の中に伸び、且つ左側の前記第四回転軸の後側
末端には第三歯車が固定的に設置され、前記空き空間と前記第三ウォームホイール空間と
の間には第五回転軸が回転できるように設置され、前記第三ウォームホイール空間の中の
前記第五回転軸の末端には前記第二ウォームと噛み合っている第三ウォームホイールが固
定的に設置され、前記空き空間の中の前記第五回転軸の末端には前記第三歯車と噛み合っ
ている第四歯車が固定的に設置されている。
【００１０】
さらに、前記動力装置は前記スライドブロックの中に設置された前後に貫通した第二ネジ
穴を含み、前記第二ネジ穴の中には前記第一ウォームと固定的に連結された第二ネジロッ
ドがネジ山によって連結され、前記スライド空間の後側端壁の中には前記第二ネジロッド
と伝動できるように連結された第二モーターが設置され、前記第一モーターの出力軸末端
には前記第二歯車と噛み合っている第五歯車が固定的に設置されている。
【００１１】
さらに、前記第二伝送ベルトの上方には前記引っ掛かり爪と作動し合うパレットが設置さ
れ、前記主体の前側端壁には決済情報を示すことができるタッチパネルが固定的に設置さ
れている。
【発明の効果】
【００１２】
本発明の有益な効果は：本発明のバーコード読み取り機能付きの自動レジスターは、伝動
設備によって決済必要な商品を連動させて順に設備の中に入らせることができ、また設備
内に設置されたバーコード読み取り装置によって商品のバーコードを自動的に読み取り、
最終的にバーコード決済方法によって顧客に費用を自動的に徴収し、自動化程度が高く、
十分に便利で、生産と普及も易い。
【図面の簡単な説明】
【００１３】
説明しやすいために、本発明を下記の具体的な実施例及び附図をもって詳しく説明する。
下記に図１〜４をあわせて本発明について詳しく説明し、便利に説明するために、下記の
方向を以下のように規定する：図１は本発明装置の正面図であり、以下に述べる上下左右
前後の方向と図１の自身投影関係の上下左右前後の方向とが一致である。
【００１４】
【図１】図１は本発明のバーコード読み取り機能付きの自動レジスターの全体構成概    略図
【図２】図２は図１の中のＡ―Ａの構成概略図
【図３】図３は図１の中のＢ―Ｂの構成概略図
【図４】図４は図１の中のＣの拡大構成概略図
【発明を実施するための形態】
【００１５】
附図１〜４に記載のバーコード読み取り機能付きの自動レジスターは、主体１０及び前記
主体１０の中に設置された左右に貫通し、且つ前方に開口した回転空間２８を含み、前記
回転空間２８の底壁の中には伝動空間５５が設置され、前記回転空間２８の中には回転フ
レーム２６が回転できるように設置され、前記回転フレーム２６の底壁左側にはバーコー
ド読み取り装置２７が設置され、前記回転フレーム２６の底壁右側には凸起台４５が固定
的に設置され、前記凸起台４５の底壁の中には下方に開口したスライド移動溝３５が前後
対称的に形成され、前記スライド移動溝３５の中には引っ掛かり爪４１がスライドできる
ように設置され、前後二つの前記スライド移動溝３５の間にはカム空間３４が設置され、
前記カム空間３４の中には前記引っ掛かり爪４１に取らせ又は降ろさせることができる挟
持装置２００が設置され、前記伝動空間５５の中には持ち上げ装置３００が設置され、前
記持ち上げ装置３００は前記伝動空間の中に回転できるように設置されたネジスリーブ１
１を含み、前記ネジスリーブ１１は回転してその内部の第一ネジ穴１６の中にネジ山によ
って連結された第一ネジロッド２９を上下に移動連動させ、それによって前記回転フレー
ム２６を上下に移動連動させ、前記伝動空間５５の底壁の中には第一ウォームホイール空
間１５が設置され、前記第一ウォームホイール空間１５の中には前記回転フレーム２６を
回転連動させる回転装置４００が設置され、前記主体１０の頂壁の中には前記回転空間２
８の両側に位置した第一伝送空間６７と第二伝送空間１９とが上方に開口するように設置
され、前記第一伝送空間６７と前記第二伝送空間１９の中には材料送り装置５００が設置
され、前記第一伝送空間６７の後側端壁の中には第二ウォームホイール空間４７が設置さ
れ、前記第二伝送空間１９の後側端壁の中には第三ウォームホイール空間３９が設置され
、前記第二ウォームホイール空間４７と前記第三ウォームホイール空間３９との間には切
換空間４９が設置され、前記切換空間４９の右側端壁の中にはスライド空間５１が設置さ
れ、前記スライド空間５１の中には動力装置６００が設置され、前記動力装置６００は前
記スライド空間５１の中にスライドできるように設置されたスライドブロック５３を含み
、前記スライドブロック５３の左側端壁の中には第一モーター６０が固定的に設置され、
前記動力装置６００は前記スライドブロック５３の前後方向への移動を利用して前記第一
モーター６０を前後方向に移動連動させ、それによって前記第一モーター６０が前記材料
送り装置５００と前記持ち上げ装置３００を異なるタイミングに駆動することを実現でき
る。
【００１６】
有益なように、前記挟持装置２００は前記カム空間３４と前記スライド移動溝３５との間
に連通するように設置された第一スライド穴４３を含み、前記第一スライド穴４３の中に
は前記引っ掛かり爪４１と固定的に連結された第一スライドロッド４２がスライドできる
ように設置され、前記第一スライドロッド４２の外表面には前記引っ掛かり爪４１と前記
スライド移動溝３５の端壁との間に設置された押圧バネ３６が取り囲まれ、前記カム空間
３４の頂壁の中には左方に伸びるベルト空間２２が設置され、前記ベルト空間２２と前記
カム空間３４との間には第一回転軸２１が回転できるように設置され、前記第一回転軸２
１の中には両面カム４４が回転できるように設置され、前記ベルト空間２２の中の前記第
一回転軸２１の末端には第一プーリ２３が固定的に設置されている。
【００１７】
有益なように、前記持ち上げ装置３００は前記伝動空間５５の中の前記ネジスリーブ１１
の外表面に固定的に設置された第一傘歯車５６を含み、前記伝動空間５５と前記切換空間
４９との間には第二回転軸５８が回転できるように設置され、前記切換空間４９の中の前
記第二回転軸５８の末端には第一歯車５９が固定的に設置され、前記伝動空間５５の中の
前記第二回転軸５８の末端には前記第一傘歯車５６と噛み合っている第二傘歯車５７が固
定的に設置され、前記第一ネジロッド２９の底壁の中には上方に開口したスプライン穴３
０が設置され、前記スプライン穴３０の中にスプラインによって連結されたスプライン軸
１２の底部末端が前記第一ウォームホイール空間１５の中に伸び、且つ前記スプライン穴
３０の底部末端には第一ウォームホイール１４が固定的に設置され、前記第一ウォームホ
イール空間１５の中には前記第一ウォームホイール１４と噛み合っている第一ウォーム１
３が回転できるように設置されている。
【００１８】
有益なように、前記回転装置４００は前記ベルト空間２２の頂壁の中に形成された内歯溝
６５を含み、前記第一ネジロッド２９の頂部が前記ベルト空間２２を貫通し、且つ前記第
一ネジロッド２９の頂部末端が前記内歯溝６５の中に伸び、前記ベルト空間２２の中の前
記第一ネジロッド２９の外表面には第二プーリ２５が固定的に設置され、前記第二プーリ
２５と前記第一プーリ２３とがベルト２４によって伝動できるように連結され、前記内歯
溝６５の中の前記第一ネジロッド２９の円周壁の中には第二スライド穴６２が中心対称的
に設置され、前記第二スライド穴６２の中には第二スライドロッド６３がスライドできる
ように設置され、前記第二スライドロッド６３と前記第二スライド穴６２の端壁との間に
は第一復帰装置６４が設置され、前記第二スライドロッド６３の末端が前記内歯溝６５の
中に設置された歯の隙間に伸びている。
【００１９】
有益なように、前記材料送り装置５００は前記第二ウォームホイール空間４７と前記第三
ウォームホイール空間３９との間に回転できるように設置された前記切換空間４９を貫通
した第二ウォーム３８を含み、前記切換空間４９の中の前記第二ウォーム３８の外表面に
は第二歯車４８が固定的に設置され、前記第一伝送空間６７の中には左右対称の第三回転
軸３２が回転できるように設置され、前記第三回転軸３２の外表面には第一伝送車３３が
固定的に設置され、左右二つの前記第一伝送車３３が第一伝送ベルト３１によって伝動で
きるように連結され、右側の前記第三回転軸３２の後側が前記第二ウォームホイール空間
４７の中に伸び、且つ右側の前記第三回転軸３２の後側末端には前記第二ウォーム３８と
噛み合っている第二ウォームホイール４６が固定的に設置され、前記第三ウォームホイー
ル空間３９の中には左右対称の第四回転軸１７が回転できるように設置され、前記第四回
転軸１７の外表面には第二伝送車１８が固定的に設置され、左右二つの前記第二伝送車１
８が第二伝送ベルト２０によって伝動できるように連結され、左側の前記第四回転軸１７
の後側が前記第三ウォームホイール空間３９の前側端壁の中に設置された空き空間８０の
中に伸び、且つ左側の前記第四回転軸１７の後側末端には第三歯車８２が固定的に設置さ
れ、前記空き空間８０と前記第三ウォームホイール空間３９との間には第五回転軸８３が
回転できるように設置され、前記第三ウォームホイール空間３９の中の前記第五回転軸８
３の末端には前記第二ウォーム３８と噛み合っている第三ウォームホイール４０が固定的
に設置され、前記空き空間８０の中の前記第五回転軸８３の末端には前記第三歯車８２と
噛み合っている第四歯車８１が固定的に設置されている。
【００２０】
有益なように、前記動力装置６００は前記スライドブロック５３の中に設置された前後に
貫通した第二ネジ穴５２を含み、前記第二ネジ穴５２の中には前記第一ウォーム１３と固
定的に連結された第二ネジロッド５４がネジ山によって連結され、前記スライド空間５１
の後側端壁の中には前記第二ネジロッド５４と伝動できるように連結された第二モーター
５０が設置され、前記第一モーター６０の出力軸末端には前記第二歯車４８と噛み合って
いる第五歯車６１が固定的に設置されている。
【００２１】
有益なように、前記第二伝送ベルト２０の上方には前記引っ掛かり爪４１と作動し合うパ
レット３７が設置され、前記主体１０の前側端壁には決済情報を示すことができるタッチ
パネル６６が固定的に設置されている。
【００２２】
本実施例に記載の固定連結方法はボルト固定や溶接などの方法を含むが、これに限定され
るものではない。
【００２３】
装置全体の機械動作の順序は下記の通りである。
【００２４】
１、本発明の設備が作動する時、決済必要な商品バーコードを上方に向いて前記パレット
３７の中に置き、そしてパレット３７を前記第一伝送ベルト３１の上方に置き、この時、
前記第一モーター６０を始動し、それによって前記第五歯車６１を回転連動させ、前記第
二歯車４８を回転連動させ、前記第二ウォーム３８を回転連動させ、この時に前記第二ウ
ォーム３８が回転して前記第二ウォームホイール４６を回転連動させ、それによって前記
第一伝送車３３を回転連動させ、前記伝送ベルト３１を移動連動させ、前記パレット３７
を前記第一伝送空間６７の右側端壁と当接するまで移動連動させ、この時、前記バーコー
ド読み取り装置２７によって前記パレット３７に置かれた商品のバーコードを読み取り、
それによって決済情報が前記タッチパネル６６に示され、この時、前記タッチパネル６６
に示した決済バーコードをスキャンして支払い操作を行う。
【００２５】
２、この時、前記第二モーター５０を始動して回転させ、それによって前記第二ネジロッ
ド５４を回転連動させ、前記第二ネジロッド５４が回転することで前記スライドブロック
５３を前方に移動連動させ、それと同時に前記スライドブロック５３が前方に移動し、そ
れによって前記第五歯車６１を連動させて前記第一歯車５９と噛み合わせ、それと同時に
前記第二ネジロッド５４が回転することで前記第一ウォーム１３を回転連動させ、それに
よって前記第一ウォームホイール１４を回転連動させ、前記第一ウォームホイール１４が
回転することで前記スプライン軸１２を回転連動させ、前記スプライン軸１２が回転する
ことで前記第一ネジロッド２９を回転連動させ、この時に前記第二スライドロッド６３の
末端が前記内歯溝６５の中に設置された歯の隙間に伸びたことで、前記第一ネジロッド２
９と前記回転フレーム２６とは相対的な変位が発生しなく、この時、前記第一ネジロッド
２９が回転して前記回転フレーム２６を半周回転連動させ、この時、前記第一モーター６
０を始動し、それによって前記第五歯車６１を回転連動させ、それによって前記第一歯車
５９を回転連動させ、それによって前記第二傘歯車５７を回転連動させ、前記第二傘歯車
５７が回転することで前記第一傘歯車５６を回転連動させ、それによって前記ネジスリー
ブ１１を回転連動させ、この時に前記ネジスリーブ１１が前記第一ネジロッド２９を下方
に移動連動させ、それによって前記回転フレーム２６を下方に移動連動させ、それによっ
て前記引っ掛かり爪４１を下方へ前記パレット３７の前後両側に至るまで移動連動させる
。
【００２６】
３、この時、前記第二モーター５０を始動して前記第二ネジロッド５４を回転連動させ、
再び前記第一ネジロッド２９を回転連動させ、この時、前記回転フレーム２６が前記回転
空間２８の後側壁体と当接したことで、前記回転フレーム２６が回転できなく、この時、
前記第一ネジロッド２９が回転し、この時、前記第二スライドロッド６３が前記内歯溝６
５の圧力作用の下で前記第二スライド穴６２の中に滑り込み、この時、前記第一ネジロッ
ド２９が回転して前記第二プーリ２５を回転連動させ、それによって前記第一プーリ２３
を回転連動させ、前記第一プーリ２３が回転することで前記両面カム４４を回転連動させ
、この時、前記第一スライドロッド４２が前記両面カム４４の当接を失い、前記引っ掛か
り爪４１が前記押圧バネ３６の作用の下で対向に移動し、それによって前記パレット３７
の周りを引っ掛からせる。
【００２７】
４、前記第一モーター６０を始動して逆方向に回転させ、それによって前記第五歯車６１
を逆方向に回転連動させ、それによって前記第一歯車５９を逆方向に回転連動させ、それ
によって前記第二傘歯車５７を逆方向に回転連動させ、前記第二傘歯車５７が逆方向に回
転することで前記第一傘歯車５６を逆方向に回転連動させ、それによって前記ネジスリー
ブ１１を逆方向に回転連動させ、この時、前記ネジスリーブ１１が前記第一ネジロッド２
９を上方に移動連動させ、それによって前記回転フレーム２６を上方に移動連動させ、前
記第二モーター５０を始動して前記第二ネジロッド５４を逆方向に回転連動させ、それに
よって前記第一ネジロッド２９を逆方向に回転連動させ、この時、前記回転フレーム２６
が半周回転することで、前記パレット３７を前記第二伝送ベルト２０の上方に至るまで回
転連動させ、この時、前記第二ネジロッド５４が回転し続け、この時、前記回転フレーム
２６が前記回転空間２８の後側壁体と当接したことで、前記回転フレーム２６が回転でき
なく、この時、前記第一ネジロッド２９が逆方向に回転し、前記第二スライドロッド６３
が前記内歯溝６５の圧力作用の下で前記第二スライド穴６２の中に滑り込み、この時、前
記第一ネジロッド２９が逆方向に回転して前記第二プーリ２５を逆方向に回転連動させ、
それによって前記第一プーリ２３を逆方向に回転連動させ、前記第一プーリ２３が逆方向
に回転することで前記両面カム４４を逆方向に回転連動させ、この時、前記第一スライド
ロッド４２が前記両面カム４４の当接の下で移動し、それによって前記引っ掛かり爪４１
を逆方向へ前記パレット３７のから移動し、この時、前記パレット３７が前記第二伝送ベ
ルト２０の上方に落ちる。
【００２８】
５、それと同時に、前記第二モーター５０が回転する時、前記スライドブロック５３を復
帰連動させ、この時、前記スライドブロック５３が前記第五歯車６１と前記第二歯車４８
とを回転連動させ、それによって前記第二ウォーム３８を回転連動させ、それによって前
記第三ウォームホイール４０を回転連動させ、それによって前記第四歯車８１を回転連動
させ、それによって前記第三歯車８２を回転連動させ、それによって前記第二伝送車１８
を回転連動させ、それによって前記第二伝送ベルト２０を移動連動させ、それによってパ
レット３７を設備の中から送り出し、決済を完成する。
【００２９】
上記の実施例は本発明の技術的構想と特徴を説明するだけであり、その目的は当業者に本
発明内容を了解させてさらに実施させるのであり、本発明の保護範囲を制限することはで
きない。本発明の精神の実質に基づいて行われたすべての等価的な変化又は修飾は、本発
明の保護範囲の中に含むべきである。
【要約】      （修正有）【課題】バーコード読み取り機能付きの自動レジスターを提供する。【解決手段】主体１０及び主体１０の中に設置された左右に貫通し、且つ前方に開口した回転空間２８を含み、パレット上に置かれた商品を第一伝動ベルト３１によって回転空間２８に送り込み、回転フレーム２６の一端に備えられたバーコード読み取り装置２７によって商品のバーコードを自動的に読み取って決済を行い、次に回転装置４００で回転フレーム２６を半回転させて、回転フレーム２６の他端に備えられた挟持装置をパレットの上方に移動させ、持ち上げ装置３００で回転フレーム２６を上下に移動させて挟持装置でパレットを挟持し持ち上げ、この状態で回転フレーム２６を半回転させてパレットを第二伝送ベルト２０の上方に移動させた後に第二伝送ベルト２０上に落下させて装置の外に送り出す。【選択図】図１【図１】
0006802437.tif 000002
【図２】
0006802437.tif 000003
【図３】
0006802437.tif 000004
【図４】
0006802437.tif 000005